(57)【特許請求の範囲】
【請求項１】
高レベル液体廃棄物の移送配管の途中にサンプリングポットを配置するとともに、移送配管の下流側端部を当該サンプリングポットの底部に連結する一方、この下流側の移送配管の前記サンプリングポット近傍にフリーズドバルブを設けるとともに、このフリーズドバルブの下流側と前記サンプリングポットの中間部とにオーバーフロー配管を設けたことを特徴とする高レベル液体廃棄物のサンプリング装置。
【発明の詳細な説明】
【０００１】
【発明の属する技術分野】
この発明は高レベル液体廃棄物のサンプリング装置に関し、原子力施設の使用済み燃料の再処理などによって生じる高レベル液体廃棄物の放射能レベルや組成を調べるためにサンプリングする装置を移送配管と兼用して設置できるようにしたものである。
【０００２】
【従来の技術】
原子力施設の使用済み燃料の再処理などによって発生する放射性廃棄物は、その放射能レベルに応じて貯蔵容器に密封されて貯蔵管理することが行われる。
【０００３】
放射性廃棄物の一つである高レベル液体廃棄物は、例えば使用済み燃料の再処理過程で生じ、再処理工場で生じた高レベル廃液が、図２に処理工程を示すように、受入槽１に受け入れられた後、濃縮槽２、濃縮液槽３および濃縮液供給槽４を経てガラス溶融炉５に送られ、ガラス固化体６としてガラス固化体容器７に密封されて貯蔵施設に保管される。
【０００４】
通常、高レベル廃液が貯蔵される各貯槽１，２，３，４などには、例えば図３に示すように、廃液移送装置１０が設けられており、廃液貯槽１１から次工程の廃液貯槽１２に移送するため、廃液貯槽１１内にエアリフトポンプ１３が設けられ、気液分離器１４および移送配管１５を介して廃液貯槽１２に移送できるようになっている。
【０００５】
このような高レベル廃液の処理過程では、各工程の高レベル廃液が貯蔵される貯槽内の廃液の放射能レベルや組成を１か月〜６か月に１回程度調べる必要があり、放射能遮蔽壁内にサンプリング装置を設けて遠隔操作でサンプリングすることが行われる。
【０００６】
この高レベル廃液のサンプリング装置２０としては、例えば図３に示すように、サンプリング対象の高レベル廃液が貯蔵される廃液貯槽１１に、廃液移送装置１０とは別に、エアリフトポンプ２１を設けて廃液貯槽１１の上方のサンプリングポット２２に廃液を送る一方、サンプリングポット２１にオーバーフロー配管２３を設けて揚液される廃液の一部を廃液貯槽１１に戻すようにして循環させ、サンプリングポット２２に溜まっている廃液を用いてサンプリング機器２４で放射能レベルなどをサンプリングする。
【０００７】
【発明が解決しようとする課題】
このサンプリング装置２０では、サンプリングポット２２にサンプリング液を溜めサンプリングポット２２にオーバーフロー配管２３を設けるという複雑な構造が採られているが、簡単な構造にするためサンプリングポット２２の底部にバルブを設けて対応しようとすると、バルブの保守の必要が生じ放射能遮蔽壁内に設置することができない。このためサンプリングポット２２の底部にサンプリング液中に固形分が含まれるていると、これが沈積することから、サンプリング終了後に水などを供給してサンプリングポット２２などサンプリング装置２０を洗浄する必要があるという問題がある。
【０００８】
また、このサンプリング装置２０自体は１〜６か月に１回程度しか使用しないにもかかわらず専用のエアリフトポンプ２１などの機器が必要となるという問題がある。
【０００９】
この発明はかかる従来の構想が有する課題を解決するためになされたものであり、専用のエアリフトポンプや配管を必要とせず、サンプリング後の洗浄の必要もなく、構造が簡単な高レベル液体廃棄物のサンプリング装置を提供しようとするものである。
【００１０】
【課題を解決するための手段】
上記課題を解決するため、この発明の高レベル液体廃棄物のサンプリング装置は、高レベル液体廃棄物の移送配管の途中にサンプリングポットを配置するとともに、移送配管の下流側端部を当該サンプリングポットの底部に連結する一方、この下流側の移送配管の前記サンプリングポット近傍にフリーズドバルブを設けるとともに、このフリーズドバルブの下流側と前記サンプリングポットの中間部とにオーバーフロー配管を設けたことを特徴とするものである。
【００１１】
この高レベル液体廃棄物のサンプリング装置によれば、移送配管の途中にサンプリングポットを配置して下流側の移送配管をサンプリングポットの底部に連通させ、この移送配管のサンプリングポット近傍にフリーズドバルブを設けるとともに、このフリーズドバルブの下流側とサンプリングポットの中間部とにオーバーフロー配管を設けるようにしており、移送配管の外側のフリーズドバルブに液体窒素などの冷却媒体を供給して移送配管内の液体を凍結して高レベル廃液の流れを止めるとともにオーバーフローさせ、サンプリングポット内に溜めた高レベル廃液のサンプリングを行い、終了後は冷却媒体の供給を停止て移送配管内の高レベル廃液を解かして底部からの排出ができるようにしている。
【００１２】
これにより、サンプリングのためのエアリフトポンプや専用配管が必要でなく、構造が簡素化されるとともに、サンプリングポットなどの洗浄の必要もなく、保守などが容易となるようにしている。
【００１３】
【発明の実施の形態】
以下、この発明の一実施の形態を図面に基づき詳細に説明する。
図１はこの発明の高レベル液体廃棄物のサンプリング装置の一実施の形態にかかる概略構成図である。
【００１４】
この高レベル液体廃棄物のサンプリング装置３０は、サンプリング対象となる高レベル液体廃棄物が貯蔵される廃液貯槽１１からエアリフトポンプ１３および気液分離器１４を介して廃液貯槽１２へ廃液を移送する移送配管１５などの廃液移送装置１０を利用して設置される。
【００１５】
この高レベル液体廃棄物のサンプリング装置３０は、図１に示すように、移送配管１５の途中にサンプリングポット３１が配置され、気液分離器１４からの上流側の移送配管１５ａがサンプリングポット３１の中間部に連通され、廃液貯槽１２に連通する下流側の移送配管１５ｂの端部がサンプリングポット３１の底部に連通して取付けてある。
【００１６】
また、サンプリングポット３１には、サンプリングに必要な液面に対応する位置に連通させてオーバーフロー配管３２が取付けてあり、その他端が下流側の移送配管１５ｂの途中に連通するように取付けてある。
【００１７】
そして、サンプリングポット３１の底部に連通する下流側の移送配管１５ｂのサンプリングポット３１の近傍には、移送配管１５ｂの外側を囲むようにフリーズドバルブ３３が取付けてあり、図示しない液体窒素などの冷却媒体の給排によりフリーズドバルブ３３で囲まれた移送配管１５ｂ内の液体を凍結させて閉じた状態としたり、溶かして流動状態として開いた状態にできるようにしてある。
【００１８】
このようなサンプリングポット３１に放射能レベルや組成を調べるサンプリング機器３４が取付けられ、先端が底部付近になるようにしてある。
【００１９】
このように構成した高レベル液体廃棄物のサンプリング装置３０では、廃液貯槽１１内の高レベル液体廃棄物をサンプリングする場合には、まず、フリーズドバルブ３３に液体窒素などの冷却媒体を供給して移送配管１５ｂ内の液体を凍結させ、サンプリングポット３１の底部を閉塞した状態にする。
【００２０】
すると、廃液貯槽１１からエアリフトポンプ１３で揚液された廃液は、気液分離器１４を経てサンプリングポット３１内に送られ、底部に次第に溜まって行き、オーバーフロー配管３２のところまで溜まると、オーバーフローして下流側の移送配管１５ｂを経て廃液貯槽１２に移送される。
【００２１】
こうしてサンプリングポット３１には、オーバーフロー配管３２までサンプリング対象の廃液が溜まった状態が保持されることから、この溜まった廃液をサンプリング機器３４でサンプリングする。
【００２２】
一方、サンプリング終了後は、フリーズドバルブ３３への冷却媒体の供給を停止すると、移送配管１５ｂ内の凍結していた廃液が解けて流動状態となってバルブが開いた状態になり、サンプリングポット３１の底部に溜まった廃液や固形分が廃液貯槽１２に移送されるのに続いて、順次廃液貯槽１１から揚液された廃液が下流側の移送配管１１ｂを介して移送される。
【００２３】
したがって、この高レベル液体廃棄物のサンプリング装置３０によれば、独立したエアリフトポンプ等を設けることなく、廃液移送装置１０と兼用してサンプリングポット３１とフリーズドバルブ３３などを設けるだけでサンプリングポット３１にサンプリング対象となる高レベル液体廃棄物を溜めてサンプリングすることができ、構造を簡素化することができるとともに、安価に設置することができる。
【００２４】
また、サンプリングポット３１の底部に下流側の移送配管１５ｂを連通するとともに、フリーズドバルブ３３を設けるようにしたので、サンプリング終了後にサンプリングポット３１の底部に溜まった廃液を固形分とともに完全に流出させることができ、固形分の沈積を防止でき、洗浄などを行う必要がない。
【００２５】
さらに、サンプリングポット３１の底部を開閉するバルブとしてフリーズドバルブ３３を設けるようにしたので、機械式のバルブのように保守の必要がなく、放射能遮蔽壁内にも設置することができる。
【００２６】
なお、上記実施の形態では、原子炉の使用済み燃料の再処理によって生じる高レベル液体廃棄物をサンプリング対象として説明したが、これに限らず液体の高レベル廃棄物のサンプリングに広く適用できるものである。
【００２７】
【発明の効果】
以上一実施の形態とともに具体的に説明したように、この発明の高レベル液体廃棄物のサンプリング装置によれば、移送配管の途中にサンプリングポットを配置して下流側の移送配管をサンプリングポットの底部に連通させ、この移送配管のサンプリングポット近傍にフリーズドバルブを設けるとともに、このフリーズドバルブの下流側とサンプリングポットの中間部とにオーバーフロー配管を設けるようにしたので、移送配管の外側のフリーズドバルブに液体窒素などの冷却媒体を供給して移送配管内の液体を凍結して高レベル廃液の流れを止めるとともにオーバーフローさせ、サンプリングポット内に溜めた高レベル廃液のサンプリングを行うことができ、終了後は冷却媒体の供給を停止して移送配管内の高レベル廃液を解かして底部からの排出することができ、固形分などの沈積を防止することができる。
【００２８】
これにより、独立した専用のサンプリングのためのエアリフトポンプや専用配管が必要でなく、廃液移送装置と兼用して構造を簡素化することができるとともに、サプリングポットなどの洗浄の必要もなく、保守などが容易となる。
【図面の簡単な説明】
【図１】この発明の高レベル液体廃棄物のサンプリング装置の一実施の形態にかかる概略構成図である。
【図２】原子力施設での使用済み燃料の再処理工程の概略説明図である。
【図３】これまで考えられていた高レベル液体廃棄物のサンプリング装置の概略構成図である。
【符号の説明】
１０  廃液移送装置
１１  廃液貯槽（上流側）
１２  廃液貯槽（下流側）
１３  エアリフトポンプ
１４  気液分離器
１５  移送配管
１５ａ  上流側の移送配管
１５ｂ  下流側の移送配管
３０  高レベル液体廃棄物のサンプリング装置
３１  サンプリングポット
３２  オーバーフロー配管
３３  フリーズドバルブ
３４  サンプリング機器
【図１】
0003770346.tif 000002
【図２】
0003770346.tif 000003
【図３】
0003770346.tif 000004